(57)【要約】【課題】本発明は、宿主（ヒト）由来のノロウイルス食中毒を予防するために好適なノロウイルス不拡散パンツを提供する。【解決手段】本発明は、着用者の臍上部に配置する上部開口部と、下肢の膝下周辺部に配置する２つの膝下開口部を有し、着用者の肛門部を中心に、臍上部周辺から下肢の膝下周辺部までを被うことができる伸縮自在なエラストマーで一体成型されるパンツであって、前記上部開口部と前記２つの膝下開口部以外の開口部を設けないことを特徴とするノロウイルス不拡散パンツ。【選択図】図１
2019157333.tif 000002
【特許請求の範囲】
【請求項１】
着用者の臍上部に配置する上部開口部と、下肢の膝下周辺部に配置する２つの膝下開口部を有し、着用者の肛門部を中心に、臍上部周辺から下肢の膝下周辺部までを被うことができる伸縮自在なエラストマーで一体成型されるパンツであって、
前記上部開口部と前記２つの膝下開口部以外の開口部を設けないことを特徴とするノロウイルス不拡散パンツ。
【請求項２】
外表面と内表面とを有し、該内表面を着用者の膝下から胴体に密着させて着用する伸縮自在なエラストマーからなるパンツであって、前記内表面から前記外表面へ貫通する細孔の直径が３０ｎｍ以下であるノロウイルス不拡散パンツ。
【請求項３】
前記エラストマーの伸長率が、元寸法の３００〜１０００％である請求項１乃至２のいずれか１項に記載のノロウイルス不拡散パンツ。
【請求項４】
前記内表面と前記外表面との距離である前記エラストマーの厚みが、０．２〜２．０ｍｍである請求項２又は３に記載のノロウイルス不拡散パンツ。
【請求項５】
上部開口部と２つの膝下開口部により内部と外部が画されるパンツ用の成形型を、エラストマー原料液に浸漬して、該成形型の外部にのみ該エラストマー原料液を固着させ、糞便の排泄口の肛門部を中心に臍上部から下肢の膝下までを被うことができるエラストマーで一体成形されるパンツの製造方法であって、
内部にエラストマー原料液が固着できない物質をコーティングした前記成形型を準備する工程と、
前記成形型を浸漬するための、前記エラストマー原料液の貯留槽を準備する工程と、
前記成形型を前記貯留槽内のエラストマー原料液に浸漬する工程と、
浸漬した前記成形型を前記貯留槽のエラストマー原料液から引き上げる工程と、
前記成形型を浸漬した後に固着したエラストマーを乾燥する工程と、
を含むノロウイルス不拡散パンツの製造方法。
【請求項６】
上部開口部と２つの膝下開口部により内部と外部が画されるパンツ用の成形型を、エラストマー原料液に浸漬して、該成形型の外部にのみ該エラストマー原料液を固着させ、糞便の排泄口の肛門部を中心に臍上部から下肢の膝下までを被うことができるエラストマーで一体成形されるパンツの製造方法であって、
前記成形型の開口部周辺に通気孔を備えた液だまりを設ける工程と、
内部にエラストマー原料液が固着できない物質をコーティングした前記成形型を準備する工程と、
前記成形型を浸漬するための、前記エラストマー原料液の貯留槽を準備する工程と、
前記成形型を前記貯留槽内のエラストマー原料液に浸漬する工程と、
浸漬した前記成形型を前記貯留槽のエラストマー原料液から引き上げる工程と、
前記成形型を浸漬した後に固着したエラストマーを乾燥する工程と、
を含むノロウイルス不拡散パンツの製造方法
【発明の詳細な説明】
【技術分野】
【０００１】  本発明は、宿主（ヒト）由来のノロウイルス食中毒を予防するために好適なノロウイルス不拡散パンツに関する。
【背景技術】
【０００２】  ノロウイルスは、７０年ほど前からヒト・ヒト感染の病因物質として知られていたが、宿主がヒトであり、ヒト・食品・ヒト感染で食中毒が起きることが判ったのは近年である。また、ノロウイルスは培養できないことから、その性質や環境での生存性等を調べることができないので、未だに感染しても効果的な治療薬が開発されていない。【０００３】  このため、ノロウイルスの不活化に供するための消毒剤の開発や加熱によるノロウイルスの不活化条件の確認には、近縁のネコカリシウイルスが用いられている。【０００４】  なお、非特許文献１にもあるように、ノロウイルスは電子顕微鏡を用いないと観察できない直径３５ｎｍ〜４０ｎｍ（ｎｍ：１００億分の１ｍ）と極小の正２０面体であり、ヒトの小腸の上皮細胞以外では増殖できない性質を持っている。また、他の病因物質に比べ感染力が強く、１０〜１００個でも感染すると言われている。しかも、ＧＩ〜ＧＶからなるノロウイルス遺伝子群のうち、ヒトに感染するＧＩ、ＧＩＩ群にあっては抵抗力が強く、乾燥状態でも２０日間以上感染性が保たれていたというデータが得られている。【０００５】  また、ヒトがノロウイルスに感染すると、２４〜４８時間の潜伏時間を経て発症し、腹痛、嘔吐、下痢などの症状が１〜２日続いてから回復するが、その後１か月程度は糞便１ｇ当たり１０の９乗程度（１０億個）排出すると言われている。【０００６】  しかも、ヒトがノロウイルスに感染しても症状が現れないいわゆる不顕性感染者の存在が感染拡大の要因になっている。そのため、わが国では食品取扱施設に対し定期的な便検査による不顕性感染者の発見とその排除を促しているが、こうした対応だけではヒト・食品・ヒト感染による食中毒を防ぎ得ないのが現状である。【０００７】  その証拠に、わが国のノロウイルス食中毒事件の多くは、食品取扱施設の就業者が感染者であったことに起因している。また、この場合複数の就業者に感染が確認されることは、非特許文献２にある実験例でも判るように、食品取扱施設における就業者の共用便所を介したヒト・ヒト感染に起因する可能性が高いことを示している。【０００８】  しかも、非特許文献３にあるように就業者の被服からノロウイルスが検出された食中毒事例は、就業者に由来するノロウイルスが被服を透過したことによって、ヒト・食品・ヒト感染による食中毒に至らしめたことを示している。【０００９】  このように、ノロウイルスによる食中毒のほとんどがヒト・食品・ヒト感染に起因している現状を考えれば、食品取扱施設の就業者全員がノロウイルスの感染者であることを前提とした予防策を講じることが求められている。
【先行技術文献】
【００１０】
【特許文献】
【特許文献】なし
【非特許文献１】ノロウイルス食中毒・感染症からまもる！−その知識と対策−（２０１３：公益社団法人日本食品衛生協会：野田衛）
【非特許文献２】Ｈ２３年度全国食品衛生監視員協議会第５１回関東ブロック研修大会抄録（トイレを起点とするノロウイルス汚染拡大の検証：長野県）
【非特許文献３】従事者衣服からノロウイルスを検出した集団食中毒事例について（ＩＡＳＲ  Ｖｏｌ．３３ｐ．１３７−１３８：２０１２年５月号）
【非特許文献４】日本ゴム協会誌第８８巻第９号（２０１５：ゴム手袋の製造方法と市場動向：赤羽徹也）
【非特許文献５】日本工業規格ＪＩＳ  Ｔ  ９１０７（使い捨て手術用ゴム手袋の製造基準）
【非特許文献６】日本工業出版「配管技術」第５４巻
【発明の概要】
【発明が解決しようとする課題】
【００１１】  本発明は、上記ニーズに対する解決策を効果的に実施することができるノロウイルス不拡散パンツを提供する。
【課題を解決するための手段】
【００１２】  １．本発明に係るノロウイルス不拡散パンツは、着用者の臍上部に配置する上部開口部と、下肢の膝下周辺部に配置する２つの膝下開口部を有し、着用者の肛門部を中心に、臍上部周辺から下肢の膝下周辺部までを被うことができる伸縮自在なエラストマーで一体成型されるパンツであって、前記上部開口部と前記２つの膝下開口部以外の開口部を設けないことを特徴とする。【００１３】  ２．本発明に係るノロウイルス不拡散パンツは、外表面と内表面とを有し、該内表面を着用者の膝下から胴体に密着させて着用する伸縮自在なエラストマーからなるパンツであって、前記内表面から前記外表面へ貫通する細孔の直径が３０ｎｍ以下であるノロウイルス不拡散パンツである。【００１４】  ３．本発明に係るノロウイルス不拡散パンツは、前記エラストマーの伸長率が、元寸法の約３００〜１０００％である１．〜２．のノロウイルス不拡散パンツである。【００１５】  ４．本発明に係るノロウイルス不拡散パンツは、前記内表面と前記外表面との距離である前記エラストマーの厚みが、０．２〜２．０ｍｍである２．〜３．のノロウイルス不拡散パンツである。【００１６】  ５．本発明に係るノロウイルス不拡散パンツの製造方法は、上部開口部と２つの膝下開口部により内部と外部が画されるパンツ用の成形型を、エラストマー原料液に浸漬して、該成形型の外部にのみ該エラストマー原料液を固着させ、糞便の排泄口の肛門部を中心に臍上部から下肢の膝下までを被うことができるエラストマーで一体成形されるパンツの製造方法であって、
（１）内部にエラストマー原料液が固着できない物質をコーティングした前記成形型を準備する工程と、
（２）前記成形型を浸漬するための、前記エラストマー原料液の貯留槽を準備する工程と、
（３）前記成形型を前記貯留槽内のエラストマー原料液に浸漬する工程と、
（４）浸漬した前記成形型を前記貯留槽のエラストマー原料液から引き上げる工程と、
（５）前記成形型を浸漬した後に固着したエラストマーを乾燥する工程と、
を含む。【００１７】  ６．本発明に係るノロウイルス不拡散パンツの製造方法は、上部開口部と２つの膝下開口部により内部と外部が画されるパンツ用の成形型を、エラストマー原料液に浸漬して、該成形型の外部にのみ該エラストマー原料液を固着させ、糞便の排泄口の肛門部を中心に臍上部から下肢の膝下までを被うことができるエラストマーで一体成形されるパンツの製造方法であって、
（１）前記成形型の開口部周辺に通気孔を備えた液だまりを設ける工程と、
（２）内部にエラストマー原料液が固着できない物質をコーティングした前記成形型を準備する工程と、
（３）前記成形型を浸漬するための、前記エラストマー原料液の貯留槽を準備する工程と、
（４）前記成形型を前記貯留槽内のエラストマー原料液に浸漬する工程と、
（５）浸漬した前記成形型を前記貯留槽内のエラストマー原料液から引き上げる工程と、
（６）前記成形型を浸漬した後に固着したエラストマーを乾燥する工程と、
を含む。
【発明の効果】
【００１８】本発明においては、宿主（ヒト）由来のノロウイルスをノロウイルスが透過できないエラストマーで形成されるパンツに封じ込めることによって外部に拡散させない効果が得られる。
【図面の簡単な説明】
【００１９】
【図１】本発明に係るノロウイルス不拡散パンツの正面図である。
【図２】本発明に係るノロウイルス不拡散パンツの側面図である。
【図３】本発明に係るノロウイルス不拡散パンツの成形型断面図である。
【発明を実施するための形態】
１．ノロウイルス不拡散パンツ
【００２０】  本発明に係るノロウイルス不拡散パンツは、図１に示すように、着用者の臍上部に配置する上部開口部と、下肢の膝下周辺部に配置する２つの膝下開口部を有し、着用者の肛門部を中心に、臍上部周辺から下肢の膝下周辺部までを被うことができる伸縮自在なエラストマーで一体成形されるパンツであって、前記上部開口部と前記２つの膝下開口部以外の開口部を設けないことを特徴とする。すなわち、本発明のノロウイルス不拡散パンツは、糞便の排泄口の肛門部を中心に、着用者の臍上部周辺部から下肢の膝下周辺部までを被うことができるエラストマーであり、前記開口部以外は上部から下部まで一切開口部を設けないものとする。
【００２１】  このような本発明に係るノロウイルス不拡散パンツは、外表面と内表面とを有し、該内表面を着用者の膝周辺部から胴体に密着させて着用する伸縮自在なエラストマーからなるパンツであって、前記内表面から前記外表面へ貫通する細孔の直径は３０ｎｍ以下であることが望ましい。なお、材料となるエラストマーに、ノロウイルスの不活化の効果が認められる物質を添加、混和、浸潤してもよい。
【００２２】  なお、本発明に係るノロウイルス不拡散パンツは、下着の上から着用するのが望ましいが、肌に密着させて着用することも可能である。また、本発明に係るノロウイルス不拡散パンツは、食品取扱施設の就業者全員が始業時ないしは用便後に着用して、終業時に廃棄するいわゆる単回使用が望ましい。しかも、本ノロウイルス不拡散パンツの着装時にあっては、その着用者はその都度身体を洗浄するなどにより清潔に保つとともに着衣もその都度清潔なものと交換することが望ましい。
【００２３】（素材）
本発明に係るノロウイルス不拡散パンツにおいて、前記エラストマーは内表面から外表面を貫通する細孔があってもよいが、該細孔の直径はノロウイルスが透過できない３０ｎｍ以下であることが望ましい。また、前記エラストマーの伸長率は元寸法の３００〜１０００％を満たすことが望ましい。なお、この伸長率の根拠は、使い捨て手術用ゴム手袋（ＪＩＳ  Ｔ  ９１０７）の基準に設けられている性能試験（引張試験）の前提条件となる伸長力が３００％に設定されていることにある。
【００２４】  なお、本発明の素材であるエラストマーの伸長率が高まれば、必然的に内表面と外表面との距離である厚みが薄くなることから、その厚みは０．２〜２．０ｍｍとすることが望ましい。
【００２５】  なお、本発明の素材であるエラストマーには、アクロニトリルゴムないしはラテックスゴムを用いることが好ましいが、前記エラストマーの要件を満たすものであれば他の素材を排除するものではない。また、この場合の素材に微細な細孔があってもよいが、ノロウイルスが透過できない３０ｎｍ以下に留めることが必要である。
【００２６】  また、本発明の素材にアクロニトリルゴムないしはラテックスゴムを用いることが好ましい理由としては、非特許文献５に示されている本発明と素材を同じくする医療用ゴム手袋等のＪＩＳ規格の水密性検査（ピンホール）に水が用いられていることにある。すなわち、ＪＩＳ  Ｔ  ９１０７においては、使い捨て手術用ゴム手袋について水密性検査（ピンホール試験）の基準が設けられており、ゴム皮膜の手袋内部に水１０００ｍｌを満たして垂直に保持し、２〜４分経過後に目視して水漏れが無ければ、このピンホール試験は合格である。そして、使い捨て手術用ゴム手袋には、素材としてアクロニトリルゴムないしはラテックスゴムが使用されていることは周知のとおりである。
【００２７】  一方、非特許文献６に示されている気体分子と水の単分子の大きさを比較した表からも判るように、水の分子径は０．２６５ｎｍであるが、水は一般にほぼ４分子と水素結合しているいわゆるクラスター（分子集団）を形成していると言われているので、実際はそれよりも大きいと考えられるが、例え１００個の水分子が１列に繋がっていたとしても２６．５ｎｍにしかならないことから、アクロニトリルゴムないしはラテックスゴムが水を透さないのであれば、その細孔はノロウイルスが透過できない３０ｎｍ以下であることが間接的に裏付けられる。
【００２８】  したがって、市販されているアクロニトリルゴムないしはラテックスゴム製の使い捨て手術用ゴム手袋の製造方法を用いれば、ノロウイルスが透過できない、内表面から前記外表面へ貫通する細孔の直径が３０ｎｍ以下である、ノロウイルス不拡散パンツを製造することが可能である。
２．ノロウイルイス不拡散パンツの製造方法
【００２９】  本発明に係るノロウイルス不拡散パンツの製造方法は、上部開口部と２つの膝下開口部により内部と外部が画されるパンツ用の成形型を、エラストマー原料液に浸漬して、該成形型の外部にのみ該エラストマー原料液を固着させ、糞便の排泄口の肛門部を中心に臍上部から下肢の膝下までを被うことができるエラストマーで一体成形されるパンツの製造方法であって、
（１）内部にエラストマー原料液が固着できない物質をコーティングした前記成形型を準備する工程と、
（２）前記成形型を浸漬するための、前記エラストマー原料液の貯留槽を準備する工程と、
（３）前記成形型を前記貯留槽内のエラストマー原料液に浸漬する工程と、
（４）浸漬した前記成形型を前記貯留槽のエラストマー原料液から引き上げる工程と、
（５）前記成形型を浸漬した後に固着したエラストマーを乾燥する工程と、
を含む。
【００３０】  このような本発明に係るノロウイルス不拡散パンツは、例えば非特許文献４に示すような凝着浸漬法（アノード法）を用いて製造することができる。
【００３１】  なお、本発明のノロウイルス不拡散パンツは、図３に示すように成形型の内面（すなわち裏側）に素材が固着しないようにフッ素樹脂等を用いてコーティングすることが望ましい。
【００３２】  また、図３に示すようにこの成形型の開口部の縁周辺部に通気孔を備えた液だまりを設けることによって、カフロール（ｃｕｆｆ  ｒｏｌｌ）工程（開口部の縁を丸めて補強する工程）を省くことができる。
【実施例１】
【００３３】（製法）
本発明に係るノロウイルス不拡散パンツの製造方法は、非特許文献４に示すような凝着浸漬法（アノード法）を用いることが望ましい。この製法は、食品取扱施設や医療施設で食中毒や感染症等を防止するために使われているゴムまたは樹脂の皮膜によって一体的に形成された手袋の製造法にも用いられている。本発明に係るノロウイルス不拡散パンツを製造する場合、まずエラストマーに加硫剤等の各種添加剤を配合して未加硫もしくは前加硫状態の液状のエラストマー原料液を調製する。また、図３に示すような例えば中空状のセラミック成形型を用意し、その表面を凝固剤（主に硫酸カルシウム水溶液）で処理する。次いで、前記エラストマー原料液中に前記型を一定時間浸漬した後に引き上げることで、当該成形型の表面にエラストマー形成物を固着させる。そして引き上げた成形型ごと加熱してエラストマー形成物を乾燥させるとともにこれを加硫させるか、あるいは乾燥させた後に成形型ごと加熱して加硫させたのち脱型させることにより、全体がエラストマーの皮膜によって一体的に形成された組成物が出来上がる。【００３４】  なお、本発明に係るノロウイルス不拡散パンツの製造方法では、例えば中空状のセラミック成形型を用いることから、その成形型の外部にのみ該エラストマー原料液を固着させる必要があるので、その内部にエラストマー原料液が固着できない物質をコーティングした前記成形型を準備する必要がある。【００３５】  また、本発明に係るノロウイルス不拡散パンツの製造方法では、図３に示すように成形型の開口部の縁周辺部に通気孔を備えた液だまりを設けることによって、ゴムまたは樹脂の皮膜によって一体的に形成される手袋の製造に欠かせないカフロール（ｃｕｆｆ・ｒｏｌｌ）工程（開口部の縁を丸めて補強する工程）を省くことができる。【００３６】  なお、本製法は０．０５〜２．０ｍｍと幅広い厚みの成膜が可能なことや均一性の高い成膜が得られることから本発明の製造法に適している。【００３７】  このように製造された本発明のノロウイルス不拡散パンツは、食品取扱施設の就業者の身体と衣類の間を遮断する目的で着用することから、図１に示すように糞便の排泄口の肛門部を中心として臍上部周辺部から下肢の膝下周辺部までを完全に被うことのできるエラストマーで一体的に形成されるゴム組成物であって、着装口以外上部から下部まで一切開口部を設けないものとする。また、本発明の伸長力は元寸法の３００〜１０００％得られることが望ましい。しかも、本発明の厚みは０．２〜２．０ｍｍとすることが望ましい。【００３８】  以上、本発明について説明したが、上記実施形態や実施例に限定されるものではない。【００３９】  その他、本発明はその主旨を逸脱しない範囲において、製造業者の知識や経験に基づき種々の改良、修正、変更を加えた態様に変更できるものとする。
【産業上の利用可能性】
【００４０】  本発明は、食品取扱施設におけるノロウイルスによる食中毒の防止目的での利用に限らず、医療施設や福祉施設等における個人防御具（ＰＰＥ）としての利用も可能である。
【図１】
2019157333.tif 000003
【図２】
2019157333.tif 000004
【図３】
2019157333.tif 000005